(57)【要約】【課題】  タッチパネルの操作性が改善された機器を提供する。【解決手段】  タッチパネルを備え、コマンドが定義されたアイコンを表示画面上に表示し表示画面上の該アイコンの表示位置への指の接触を受けて該アイコンに応じたコマンドを実行する機器において、表示画面にアイコンを表示する通常モードと、表示画面に押し当てられた指のサイズを検知する指サイズ検知モードと、通常モードと指サイズ検知モードとの間でモード切替を行うモード切替手段と、指サイズ検知モードでの指サイズの検知後に前記モード切替手段によって切り替えられた通常モードでのアイコンを、検知した指サイズに応じた表示サイズで表示するアイコンサイズ表示部とを備えた。【選択図】        図１
2007004660.tif 000002
【特許請求の範囲】
【請求項１】
画像を表示する表示画面と、該表示画面上の、指で触れた位置を認識するセンサとを有するタッチパネルを備え、コマンドが定義されたアイコンを該表示画面上に表示し該表示画面上の該アイコンの表示位置への指の接触を受けて該アイコンに応じたコマンドを実行する機器において、
前記表示画面にアイコンを表示する通常モードと、前記表示画面に押し当てられた指のサイズを検知する指サイズ検知モードとの間でモード切替を行うモード切替手段と、
前記指サイズ検知モードでの指サイズの検知後に前記モード切替手段によって切り替えられた前記通常モードでの前記アイコンを、検知した指サイズに応じた表示サイズで表示するアイコン表示部とを備えたことを特徴とする機器。
【請求項２】
前記通常モードは、複数のアイコンを前記表示画面に表示するモードであって、
前記アイコン表示部が、前記複数のアイコンを、検知した指サイズに応じた表示サイズで、かつ検知した指サイズに応じた表示間隔で表示するものであることを特徴とする請求項１記載の機器。
【発明の詳細な説明】
【技術分野】
【０００１】
本発明は、画像を表示する表示画面と、この表示画面上の、指で触れた位置を認識するセンサとを有するタッチパネルを備え、コマンドが定義されたアイコンをこの表示画面上に表示し表示画面上のアイコンの表示位置への指の接触を受けてそのアイコンに応じたコマンドを実行する機器に関する。
【背景技術】
【０００２】
従来より、液晶表示画面など、撮影した画像を表示する表示画面を備えたカメラが知られている。
【０００３】
また、表示画面を備えたカメラには、表示画面と、この表示画面上の、指で触れた位置を認識するセンサとが組み合わされた、いわゆるタッチパネルを備え、コマンドが定義されたアイコンを撮影画像と共に表示し、表示画面上のアイコンの表示位置への指の接触を受けてそのアイコンに応じたコマンドを実行することにより撮影画像の表示エリア等を変更するものがある（例えば、特許文献１参照）。
【特許文献１】特開平１１−２８９４８４号公報
【発明の開示】
【発明が解決しようとする課題】
【０００４】
ところで、指の大きさには個人差があり、タッチパネルの表示画面に表示されたアイコンのサイズが指のサイズに比べ小さい場合にはアイコンへの操作がし難いという問題がある。
【０００５】
尚、上記問題は、タッチパネルを備えたカメラに限って発生する問題ではなく、タッチパネルを備えた機器であれば同様に発生する問題である。
【０００６】
本発明は、上記事情に鑑み、タッチパネルの操作性が改善された機器を提供することを目的とする。
【課題を解決するための手段】
【０００７】
上記目的を達成するための本発明の機器は、
画像を表示する表示画面と、この表示画面上の、指で触れた位置を認識するセンサとを有するタッチパネルを備え、コマンドが定義されたアイコンをこの表示画面上に表示しこの表示画面上のこのアイコンの表示位置への指の接触を受けてこのアイコンに応じたコマンドを実行する機器において、
上記表示画面にアイコンを表示する通常モードと、上記表示画面に押し当てられた指のサイズを検知する指サイズ検知モードとの間でモード切替を行うモード切替手段と、
上記指サイズ検知モードでの指サイズの検知後に上記モード切替手段によって切り替えられた上記通常モードでの上記アイコンを、検知した指サイズに応じた表示サイズで表示するアイコン表示部とを備えたことを特徴とする。
【０００８】
本発明の機器では、指サイズ検知モードで検知された指サイズに応じた表示サイズでアイコンを表示することができる。したがって、本発明の機器によれば、表示画面上のアイコンを、ユーザの指のサイズに応じたサイズで表示することができ、これにより、タッチパネルの操作性を改善することができる。
【０００９】
ここで、上記通常モードは、複数のアイコンを上記表示画面に表示するモードであって、
上記アイコン表示部が、上記複数のアイコンを、検知した指サイズに応じた表示サイズで、かつ検知した指サイズに応じた表示間隔で表示するものであることが好ましい。
【００１０】
複数のアイコンを、検知した指サイズに応じた表示サイズで、かつ検知した指サイズに応じた表示間隔で表示することにより、タッチパネルの操作性を一層改善することができる。
【発明の効果】
【００１１】
本発明の機器によれば、タッチパネルの操作性を改善することができる。
【発明を実施するための最良の形態】
【００１２】
以下、本発明の実施形態を説明する。
【００１３】
図１は、本発明の機器の一実施形態の背面図である。
【００１４】
本実施形態のカメラ１は、画像を表示する表示画面とこの表示画面上の、指で触れた位置を認識する感圧センサとを有するタッチパネル１０を背面側に備えたデジタルカメラであり、静止画モードと、動画モードと、これらモードで撮影された撮影画像を再生する静止画再生モードおよび動画再生モードと、詳しくは後述する指サイズ検知モードとを有している。尚、カメラ１の側面には、これらモードの切替を行うためのモードダイヤル１１が備えられている。
【００１５】
図１（ａ）には、動画モードで撮影した撮影画像を再生すべく、モードが動画再生モードに切り替えられた直後の画像表示が示されており、ここには、人物Ｐ、および、この人物Ｐの下方にアイコン群Ｑが示されている。アイコン群Ｑは、左から順に巻き戻し用のアイコンＱ１、再生停止用のアイコンＱ２、再生開始用のアイコンＱ３、および早送り用のアイコンＱ４で構成されている。
【００１６】
図１（ｂ）には、前述した指サイズ検知モードに切り替えられた直後の画面表示が示されており、ここには、ユーザが、指を押し当てるエリアＲが点線で示されている。
【００１７】
ここで、この指サイズ検知モードは、エリアＲに押し当てられた指のサイズを検知するモードであり、カメラ１では、モードがこの指サイズ検知モードの場合には、エリアＲにおける感圧範囲である指サイズに関するデータを記憶するようになっている。
【００１８】
図１（ｃ）には、図１（ｂ）に示す指サイズ検知モードにおける指サイズ検知後にモードダイヤル１１によってモードが再び動画再生モードに切り替えられた直後の画面表示が示されている。
【００１９】
また、図１（ｃ）には、図１（ｂ）に示す指サイズ検知モードにおいて検知した指サイズがそれまでに検知していた指サイズよりもサイズがアップしたことで、アイコンの表示サイズがアップされていると共にアイコン同士の間隔が広げられている様子が示されている。
【００２０】
図２は、本実施形態のカメラの内部ブロック図である。
【００２１】
図２に示すカメラ１は、このカメラ１全体の動作を制御するＣＰＵ１００、モードダイヤル１１で選択された撮影モードに応じた撮影をおこなう撮像部１０１、撮像部１０１から出力される画像信号を処理する信号処理部１０２、信号処理部１０２で処理された画像データを記録するメモリ１０４、信号処理部１０２から入力される画像データをアナログ信号に変換するＤ／Ａコンバータ１０３、Ｄ／Ａコンバータ１０３でアナログ変換されて入力されてきた画像信号を表示する表示画面１０ａとこの表示画面１０ａに組み合わされて配備されたセンサ１０ｂとからなるタッチパネル１０、および、指サイズ検知モードにおいてエリアＲにおいて検知した指サイズに応じたデータや、処理された画像信号等が記憶されるメモリ１０４で構成されている。
【００２２】
モードダイヤル１１によって指検知モードが選択されると、ＣＰＵ１００は、信号処理部１０２に、表示画面１０ａにおけるエリアＲの表示を指示し、信号処理部１０２では、エリアＲの基となる画像データをメモリ１０４から読み出すと共にＤ／Ａコンバータ１０３を通じて表示画面１０ａに入力する。これにより、表示画面１０ａでは、エリアＲが表示される。その後、このエリアＲにユーザが指を押し当てると、感圧したセンサ範囲に応じた信号がＣＰＵ１００に送信され、ＣＰＵ１００は、送信されてきた指のサイズに関する信号を信号処理部１０２を通じてメモリ１０４に記録する。その後、モードダイヤル１１により動画再生モードが選択されると、一連の動画像の先頭の画像が表示画面１０ａに表示されるとともに再生用のアイコン等からなるアイコン群が表示画面１０ａに表示されるが、このアイコン群は、メモリに記録されている、直近の指サイズ検知モードで検知された指のサイズに関するデータに応じたサイズおよび間隔で表示される。この様に、本実施形態のカメラ１では、表示画面上のアイコンを、ユーザの指のサイズに応じたサイズで表示することができ、これにより、タッチパネル１０の操作性を改善することができる。
【００２３】
図３は、本実施形態において起動されるルーチンのフローチャートである。
【００２４】
図３に示すルーチンは、このカメラ１において静止画もしくは動画再生モードがモードダイヤル１１により選択された際のアイコン表示のために起動されるルーチンであり、ステップＳ１では、メモリ１０４に記録されているアイコンの表示サイズおよび表示間隔に関するデータの読み出しを行う。ステップＳ２では、読み出しデータに応じたサイズおよび間隔でのアイコン表示を指示する。ステップＳ３では、現在のモードが指サイズ検知モードか否かを判定する。ステップＳ３において、現在選択されているモードが指サイズ検知モードではないと判定すると、ステップＳ２に戻り、ステップＳ３において、指サイズ検知モードであると判定すると、ステップＳ４に進み、指サイズの検知を行い、ステップＳ５では、検知結果をメモリ１０４に記憶する。その後、ステップＳ１に戻る。
【００２５】
尚、以上に説明した実施形態では、デジタルカメラを例に挙げて説明したが、タッチパネルを備えるものであればビデオカメラであってもよい。また、アイコンを、指サイズ検知モードで検知した指サイズに応じた表示サイズおよび表示間隔で表示する例を挙げて説明したが、本発明では、これが表示サイズのみを、検知した指サイズに応じたものとしてもよい。
【図面の簡単な説明】
【００２６】
【図１】本発明の機器の一実施形態の背面図である。
【図２】本実施形態のカメラの内部ブロック図である。
【図３】本実施形態において起動されるルーチンのフローチャートである。
【符号の説明】
【００２７】
１  カメラ
１０  タッチパネル
１０ａ  表示画面
１０ｂ  センサ
１１  モードダイヤル
１００  ＣＰＵ
１０１  撮像部
１０２  信号処理部
１０３  Ｄ／Ａコンバータ
１０４  メモリ
【図１】
2007004660.tif 000003
【図２】
2007004660.tif 000004
【図３】
2007004660.tif 000005